(57)【要約】【課題】接写撮影時における操作性を向上させることができる撮像装置を提供する。【解決手段】被写体を照明する照明手段（１０３、２０３）を用いた撮影が可能な撮像装置であって、撮影待機状態であるか否かを判断する第１の判断手段（１０５、２０５）と、接写撮影を行う状態であるか否かを判断する第２の判断手段（１０５、２０５）と、前記第２の判断手段により接写撮影を行う状態であると判断された場合、前記第１の判断手段により撮影待機状態であると判断されると前記照明手段の発光を開始させる制御手段（１０５，２０５）と、を有する。【選択図】図２
2010258522.tif 000002
【特許請求の範囲】
【請求項１】
被写体を照明する照明手段を用いた撮影が可能な撮像装置であって、
撮影待機状態であるか否かを判断する第１の判断手段と、
接写撮影を行う状態であるか否かを判断する第２の判断手段と、
前記第２の判断手段により接写撮影を行う状態であると判断された場合、前記第１の判断手段により撮影待機状態であると判断されると前記照明手段の発光を開始させる制御手段と、を有することを特徴とする撮像装置。
【請求項２】
撮影準備動作の指示を行う指示手段を有し、
前記第１の判断手段は、前記指示手段により撮影準備動作の指示が行われると撮影待機状態であると判断することを特徴とする請求項１に記載の撮像装置。
【請求項３】
接眼部と、
前記接眼部近傍の物体の有無を検知する検知手段と、を有し、
前記第１の判断手段は、前記検知手段により前記接眼部近傍に物体が検知されると撮影待機状態であると判断することを特徴とする請求項１に記載の撮像装置。
【請求項４】
被写体輝度を測定する測光手段を有し、
前記制御手段は、前記第２の判断手段により接写撮影を行う状態であると判断された場合、前記第１の判断手段により撮影待機状態であると判断されると前記測光手段で前記被写体輝度を測定させ、該測定された被写体輝度が所定値以下であれば前記照明手段の発光を開始させることを特徴とする請求項１ないし３のいずれか１項に記載の撮像装置。
【請求項５】
前記制御手段は、前記第１の判断手段により撮影待機状態であると判断されている間は前記照明手段による発光を継続させることを特徴とする請求項１または４のいずれか１項に記載の撮像装置。
【請求項６】
前記制御手段は、前記第１の判断手段により撮影待機状態ではなくなったと判断された場合、撮影待機状態ではなくなったと判断されてから所定時間が経過するまで前記照明手段の発光を継続させることを特徴とする請求項５に記載の撮像装置。
【請求項７】
前記撮像装置は、接写撮影モードを含む複数の動作モードを備えていて、前記複数の動作モードから任意の動作モードを選択する選択手段を有し、
前記第２の判断手段は、前記選択手段により前記接写撮影モードが選択されている場合、接写撮影を行う状態であると判断することを特徴とする請求項１ないし６のいずれか１項に記載の撮像装置。
【請求項８】
前記撮像装置は、撮影レンズが着脱可能であって、
前記第２の判断手段は、装着された撮影レンズが接写撮影用の撮影レンズの場合、接写撮影を行う状態であると判断することを特徴とする請求項１ないし７のいずれか１項に記載の撮像装置。
【請求項９】
前記装着された撮影レンズと通信を行う通信手段を有し、
前記第２の判断手段は、前記通信手段により取得したレンズ情報に基づいて、接写撮影を行う状態であるか否かを判断することを特徴とする請求項８に記載の撮像装置。
【請求項１０】
前記照明手段は、前記撮像装置に着脱可能な外部ストロボ装置であって、
前記第２の判断手段は、装着された外部ストロボ装置が接写撮影用の外部ストロボ装置の場合、接写撮影を行う状態であると判断することを特徴とする請求項１ないし９のいずれか１項に記載の撮像装置。
【請求項１１】
前記装着された外部ストロボ装置と通信を行う通信手段を有し、
前記第２の判断手段は、前記通信手段により取得したストロボ情報に基づいて、接写撮影を行う状態であるか否かを判断することを特徴とする請求項１０に記載の撮像装置。
【請求項１２】
被写体を照明する照明手段を用いた撮影が可能な撮像装置の制御方法であって、
撮影待機状態であるか否かを判断する第１の判断ステップと、
接写撮影を行う状態であるか否かを判断する第２の判断ステップと、
前記第２の判断ステップで接写撮影を行う状態であると判断された場合、前記第１の判断ステップで撮影待機状態であると判断されると前記照明手段の発光を開始させる制御ステップと、を有することを特徴とする撮像装置の制御方法。
【発明の詳細な説明】
【技術分野】
【０００１】
本発明は、デジタルカメラ等の撮像装置に関する。
【背景技術】
【０００２】
デジタルカメラ等の撮像装置の撮影レンズを被写体に近接させて撮影を行う接写は、動植物の写真や、商品写真などの分野で広く実施されている。
【０００３】
接写撮影においては、被写体への光の当たり方や影の出方が写真の品質に影響を及ぼす場合があるため、撮影前に照明手段を発光させて光の当たり方を事前に調整・確認するモデリング発光を行うことがある。
【０００４】
また、接写撮影においては、焦点調節を正確に行わないと、いわゆるピンボケ写真になりやすいため、ピント合わせ時に照明手段を発光させて被写体を明るく照明し、ピントを合わせやすくするフォーカシング発光を行うことがある。
【０００５】
図７は、モデリング発光やフォーカシング発光の機能を有する従来のデジタル一眼レフカメラ（以下、カメラと略す）を示す図であり、（ａ）は正面側から見た斜視図、（ｂ）は背面側から見た斜視図である。
【０００６】
図７に示すように、このカメラ３００は、カメラ本体３０１に撮影レンズ３０２及び接写撮影用ストロボ３０３が装着される。カメラ本体３０１には、電源スイッチ３０４、モードダイヤル３０６、シャッターボタン３０７、ファインダー３０９、及び設定変更ダイヤル３１１Ａ，３１１Ｂが配置されている。
【０００７】
接写撮影用ストロボ３０３は、被写体輝度が低い（暗い）場合等に発光して被写体を照明するものであり、左右２ヶ所の発光部３０３Ａ，３０３Ｂ、赤目軽減ランプ３０３Ｃ、及び操作スイッチ群３１３を備える。
【０００８】
そして、モデリング発光やフォーカシング発光を行う際には、操作スイッチ群３１３の所定の操作スイッチを操作することで、発光部３０３Ａ，３０３Ｂや赤目軽減ランプ３０３Ｃを発光させ、また、発光部３０３Ａ，３０３Ｂの光量比を変える等の各種設定を行う。また、操作スイッチ群３１３の所定の操作スイッチを操作することで、モデリング発光後にフォーカシング発光を行ったり、フォーカシング発光後にモデリング発光を行ったりすることができる。
【０００９】
一方、撮影者がカメラグリップを握ったことを検出し、かつ撮影者がファインダーを覗いたこと検出した場合に、カメラがズーム動作を行うように制御する撮像装置が提案されている（特許文献１）。
【先行技術文献】
【特許文献】
【００１０】
【特許文献１】特開平０３−０３６５３２号公報
【発明の概要】
【発明が解決しようとする課題】
【００１１】
しかし、図７に示すカメラ３００では、接写撮影時にモデリング発光やフォーカシング発光を行う際に、ファインダー３０９を覗き込みながら、カメラ本体３０１の上部に取り付けられたストロボ３０３の操作スイッチ群３１３まで手を伸ばして操作する必要がある。このため、接写撮影時における操作性がよいとは言えない。
【００１２】
一方、上記特許文献１では、三脚等を用いてカメラグリップを握らずに接写撮影する場合やファインダーから目を離している場合には、カメラを動作させる制御は行われないため、操作性がよいとは言えない。
【００１３】
そこで、本発明は、接写撮影時における操作性を向上させることを目的とする。
【課題を解決するための手段】
【００１４】
上記目的を達成するために、本発明の撮像装置は、被写体を照明する照明手段を用いた撮影が可能な撮像装置であって、撮影待機状態であるか否かを判断する第１の判断手段と、接写撮影を行う状態であるか否かを判断する第２の判断手段と、前記第２の判断手段により接写撮影を行う状態であると判断された場合、前記第１の判断手段により撮影待機状態であると判断されると前記照明手段の発光を開始させる制御手段と、を有することを特徴とする。
【００１５】
また、本発明の撮像装置の制御方法は、被写体を照明する照明手段を用いた撮影が可能な撮像装置の制御方法であって、撮影待機状態であるか否かを判断する第１の判断ステップと、接写撮影を行う状態であるか否かを判断する第２の判断ステップと、前記第２の判断ステップで接写撮影を行う状態であると判断された場合、前記第１の判断ステップで撮影待機状態であると判断されると前記照明手段の発光を開始させる制御ステップと、を有することを特徴とする。
【発明の効果】
【００１６】
本発明によれば、接写撮影時に、煩わしい操作をすることなく、照明装置により被写体を照明することができるので、接写撮影時における操作性を向上させることができる。
【図面の簡単な説明】
【００１７】
【図１】本発明の撮像装置の第１の実施形態であるデジタルカメラを説明するための制御ブロック図である。
【図２】図１に示すデジタルカメラの動作例を説明するためのフローチャート図である。
【図３】図１に示すデジタルカメラの動作例を説明するためのフローチャート図である。
【図４】本発明の撮像装置の第２の実施形態であるデジタル一眼レフカメラを説明するための制御ブロック図である。
【図５】図４に示すデジタル一眼レフカメラの動作例を説明するためのフローチャート図である。
【図６】図４に示すデジタル一眼レフカメラの動作例を説明するためのフローチャート図である。
【図７】従来のデジタル一眼レフカメラを説明するための図であり、（ａ）は正面側から見た斜視図、（ｂ）は背面側から見た斜視図である。
【発明を実施するための形態】
【００１８】
以下、本発明の実施形態を図面を参照して説明する。
【００１９】
（第１の実施形態）
図１は、本発明の撮像装置の第１の実施形態であるデジタルカメラを説明するための制御ブロック図である。
【００２０】
図１に示すように、本実施形態のデジタルカメラ（以下、カメラという）１０１は、撮影レンズ１０２及び照明装置の一例としての接写撮影用ストロボ１０３が一体に設けられ、電源スイッチ１０４により電源の入／切が行われる。ＣＰＵ１０５は、カメラ１０１全体の動作を制御する。モードダイヤル１０６は、所定のポジションに回転操作することで、カメラ１０１の複数の動作モードから任意の動作モードを選択するためのダイヤルである。
【００２１】
シャッターボタン１０７は、押込み量に応じて２段階にスイッチがＯＮするようになっており、１段目のスイッチＯＮ（ＳＷ１−ＯＮ）により、撮影待機状態となる。撮影待機状態とは、例えば、本撮影の撮影パラメータを決定するための撮影準備動作を行う状態のことであって、本撮影が行われる前の状態のことである。１段目のスイッチＯＮ（ＳＷ１−ＯＮ）により撮影待機状態となると、撮影準備動作としてＣＰＵ１０５による測距制御部１１１、露出制御部１１３及びズーム制御部１１４の制御が行われる。また、シャッターボタン１０７の２段目のスイッチＯＮ（ＳＷ２−ＯＮ）により、ＣＰＵ１０５によるレリーズ動作、すなわち撮影レンズ１０２を通した被写体像の取り込み動作が行われる。
【００２２】
ファインダー１０９は、撮影時に構図やピント確認をするためのものである。測光センサ１１０は、被写体の輝度を測定するセンサである。測距制御部１１１は、ＣＰＵ１０５の指示によりフォーカスレンズの駆動を制御し、これにより、ＡＦ（オートフォーカス）制御等が行われる。ズーム制御部１１４は、ユーザ操作に基づくＣＰＵ１０５の指示によりズームレンズの駆動を制御する。タイマー１１２は、必要に応じて計時を行う。
【００２３】
接写撮影用ストロボ（以下、ストロボという）１０３は、被写体輝度が低い（暗い）時などに発光して被写体を照明するものであり、このストロボ１０３には、赤目軽減ランプ１０３Ｃが内蔵されている。接眼部物体検知センサ１０８は、ファインダー１０９の接眼部近傍の物体の有無を検知することで、撮影者がファインダー１０９を覗き込んでいるか否かを判別するためのものである。
【００２４】
次に、図２および図３を参照して、本実施形態のカメラ１０１の動作例について説明する。図２および図３での各処理は主に、不図示のＲＯＭ等に記憶されたプログラムがＲＡＭにロードされて、ＣＰＵ１０５により実行される。
【００２５】
ステップＳ１０１において、電源スイッチ１０４がＯＮ操作されると、ステップＳ１０２で、ＣＰＵ１０５は、所定の起動動作を行い、ステップＳ１０３に進む。
【００２６】
ステップＳ１０３では、ＣＰＵ１０５（第２の判断手段）は、モードダイヤル１０６のポジションを判別する。そして、接写撮影モード以外が選択されている場合は、ステップＳ１０４に進み、接写撮影モードが選択されている場合は、接写撮影を行う状態であると判断してステップＳ１０５に進む。ステップＳ１０４では、ＣＰＵ１０５は、選択されたモードに応じた所定の動作を行い、処理を終了する。
【００２７】
ステップＳ１０５において、シャッターボタン１０７が半押し、すなわちＳＷ１がＯＮされると、ＣＰＵ１０５（第１の判断手段）は撮影待機状態であると判断して、ステップＳ１０６で、測光センサ１１０により測光を行い、ステップＳ１０７に進む。
【００２８】
ステップＳ１０７では、ＣＰＵ１０５は、ステップＳ１０６での測光の結果に基づいて被写体輝度が所定値以下は否かを判断し、被写体輝度が所定値以下でなければ、ステップＳ１１８に進み、被写体輝度が所定値以下であれば、ステップＳ１０８に進む。
【００２９】
ステップＳ１１８では、ＣＰＵ１０５は、シャッターボタン１０７の状態を確認し、ＳＷ１がＯＮ状態であれば、ステップＳ１１９に進み、ＳＷ１がＯＦＦ状態であれば、撮影が中断されたものと判断し、ステップＳ１０３に戻る。
【００３０】
ステップＳ１１９において、シャッターボタン１０７がさらに押込まれてＳＷ２がＯＮされると、ステップＳ１２０に進み、ステップＳ１２０で、ＣＰＵ１０５は、外光撮影、すなわちストロボ１０３を使用しない撮影を行い、処理を終了する。
【００３１】
一方、ステップＳ１０８では、ＣＰＵ１０５は、ストロボ１０３に内蔵された赤目軽減ランプ１０３Ｃを点灯（モデリング発光）させ、ステップＳ１０９に進む。
【００３２】
ステップＳ１０９では、ＣＰＵ１０５は、シャッターボタン１０７の状態を確認し、ＳＷ１がＯＮ状態であれば、ステップＳ１１０に進み、ＳＷ１がＯＦＦ状態であれば、ステップＳ１１３に進む。
【００３３】
ステップＳ１１３でタイマー１１２による計時を開始し、ステップＳ１１４でＣＰＵ１０５は、ステップＳ１１３での計時の開始から所定時間が経過したか否かを判断する。所定時間が経過した場合は、ステップＳ１１７に進み、所定時間が経過しない場合は、ステップＳ１１５に進む。
【００３４】
ステップＳ１１７では、ＣＰＵ１０５は、撮影が中断されたものと判断して、赤目軽減ランプ１０３Ｃを消灯し、ステップＳ１０３に戻る。一方、ステップＳ１１５では、ＣＰＵ１０５は、シャッターボタン１０７の状態を確認し、ＳＷ１がＯＮ状態であれば、ステップＳ１１６でタイマー１１２による計時をリセットし、ステップＳ１１０に進み、ＳＷ１がＯＦＦ状態であれば、ステップＳ１１４に戻る。
【００３５】
ステップＳ１１０では、ＣＰＵ１０５は、シャッターボタン１０７がさらに押込まれてＳＷ２がＯＮされたか否かを判断し、ＳＷ２がＯＮされた場合は、ステップＳ１１１に進み、ＳＷ２がＯＮされない場合は、ステップＳ１０９に戻る。
【００３６】
ステップＳ１１１で赤目軽減ランプ１０３Ｃを消灯し、  ステップＳ１１２において、ＣＰＵ１０５は、ストロボ撮影、すなわちストロボ１０３を発光させての撮影を行い、処理を終了する。なお、ステップＳ１０８で発光開始してからステップＳ１１１で発光停止するまでは、ストロボ１０３の赤目軽減ランプ１０３Ｃは継続して発光を行うものとする。
【００３７】
以上説明したように、本実施形態では、接写撮影を行う際に、シャッターボタン１０７のＳＷ１がＯＮ操作されると、測光結果に応じて自動的に赤目軽減ランプ１０３Ｃが点灯（モデリング発光）する。これにより、煩わしい操作をすることなく、被写体がどのように照明されるのかを事前に確認することができ、操作性が向上する。
【００３８】
また、本実施形態では、赤目軽減ランプ１０３Ｃが点灯しているときに撮影者がシャッターボタン１０７から手を離してＳＷ１がＯＦＦしても、所定時間は赤目軽減ランプ１０３Ｃが点灯し続ける。これにより、撮影者は、赤目軽減ランプ１０３Ｃにより被写体を照明した状態で、両手を使って被写体を動かして光の当たり方を調節することができ、操作性が向上する。
【００３９】
更に、本実施形態では、撮影者がシャッターボタン１０７から手を離してＳＷ１がＯＦＦしてから所定時間経過後に、赤目軽減ランプ１０３Ｃが自動的に消灯するため、カメラ１０１の消費電力を抑えることができる。
【００４０】
なお、本実施形態では、シャッターボタン１０７の操作に基づき、赤目軽減ランプ１０３Ｃを点灯させる場合を例示したが、これに限定されない。
【００４１】
例えば、接眼部物体検知センサ１０８で物体が検知された場合、すなわち撮影者がファインダー１０９を覗いていることが検知された場合に撮影待機状態であると判断して、赤目軽減ランプ１０３Ｃを点灯させるようにしてもよい。この場合、接眼部物体検知センサ１０８で物体が検知されなくなってから所定時間は赤目軽減ランプ１０３Ｃが点灯し続けるようにしてもよい。また、シャッターボタン１０７の操作及び接眼部物体検知センサ１０８の検知出力に基づき、赤目軽減ランプ１０３Ｃを点灯させるようにしてもよい。
【００４２】
（第２の実施形態）
次に、図４ないし図６を参照して、本発明の撮像装置の第２の実施形態であるデジタル一眼レフカメラについて説明する。
【００４３】
図４は、本発明の撮像装置の第２の実施形態であるデジタル一眼レフカメラを説明するための制御ブロック図である。
【００４４】
図４に示すように、本実施形態のデジタル一眼レフカメラ（以下、カメラという）２００は、カメラ本体２０１に撮影レンズ２０２が着脱可能に装着される。また、カメラ本体２０１には照明装置の一例としての外部ストロボ装置である接写撮影用ストロボ２０３が着脱可能に装着され、電源スイッチ２０４によりカメラ本体２０１の電源の入／切が行われる。ＣＰＵ２０５は、カメラ２００全体の動作を制御する。モードダイヤル２０６は、所定のポジションに回転操作することで、カメラ２００の動作モードを選択するためのダイヤルである。
【００４５】
シャッターボタン２０７は、押込み量に応じて２段階にスイッチがＯＮするようになっており、撮影開始の操作を受け付ける１段目のスイッチＯＮ（ＳＷ１−ＯＮ）により、ＣＰＵ２０５による露出制御部２２０及び合焦／絞り制御部２１８等の制御が行われる。また、シャッターボタン２０７の２段目のスイッチＯＮ（ＳＷ２−ＯＮ）により、ＣＰＵ２０５によるレリーズ動作、すなわち撮影レンズ２０２を通した被写体像の取り込み動作が行われる。
【００４６】
ファインダー２０９は、撮影時に構図やピント確認をするためのものである。測光センサ２１０は、被写体輝度を測定するセンサである。タイマー２１２は、必要に応じて計時を行なう。操作部材の一例としての設定変更ダイヤル２１１Ａ，２１１Ｂは、それぞれカメラ本体２０１に配置され、回転操作することにより、カメラ２００の各種設定を変更する。設定変更ダイヤル２１１Ａを操作することで、後述するモデリング発光の発光形態を変更することができ、設定変更ダイヤル２１１Ｂを操作することで、モデリング発光とフォーカシング発光のどちらを行うかを切替えることができる。
【００４７】
測距センサ２１５は、被写体までの距離を測定するセンサである。露出制御部２２０は、ＣＰＵ２０５からの指示により、シャッタ２１９の駆動を制御する。発光制御部２１６は、ＣＰＵ２０５からの指示により、接写撮影用ストロボ２０３の発光動作を制御する。接眼部物体検知センサ２０８は、ファインダー２０９の接眼部近傍の物体の有無を検知することで、撮影者がファインダー２０９を覗き込んでいるか否かを判別するためのものである。
【００４８】
接写撮影用ストロボ２０３は、被写体輝度が低い（暗い）場合等に発光して被写体を照明するものであり、第１の照明部の一例である左右２ヶ所の発光部２０３Ａ，２０３Ｂ、及び第２の照明部の一例である赤目軽減ランプ２０３Ｃを備える。
【００４９】
次に、図５および図６を参照して、本実施形態のカメラ２００の動作例について説明する。図５および図６での各処理は主に、不図示のＲＯＭ等に記憶されたプログラムがＲＡＭにロードされて、ＣＰＵ２０５により実行される。なお、撮影を中断した場合の処理については、上記第１の実施形態と同様であるため、その説明を省略する。
【００５０】
ステップＳ２０１において、電源スイッチ２０４がＯＮ操作されると、ステップＳ２０２で、ＣＰＵ２０５は、所定の起動動作を行い、ステップＳ２０３−１に進む。
【００５１】
ステップＳ２０３−１では、ＣＰＵ２０５は、モードダイヤル２０６のポジションを判別する。そして、接写撮影モード以外が選択されている場合は、ステップＳ２０３−２に進み、接写撮影モードが選択されている場合は、接写撮影を行う状態であると判断して、ステップＳ２０５に進む。
【００５２】
ステップＳ２０３−２では、ＣＰＵ２０５は、レンズ通信部２１４を介して取得した装着された撮影レンズからのレンズ情報を基に、撮影レンズが接写撮影用か否かを判断する。そして、ＣＰＵ２０５は、装着された撮影レンズが接写撮影用であれば、接写撮影を行う状態であると判断して、ステップＳ２０５に進み、装着された撮影レンズが接写撮影用でなければ、ステップＳ２０３−３に進む。
【００５３】
ステップＳ２０３−３では、ＣＰＵ２０５は、ストロボ通信部２１３を介して取得した装着されたストロボからのストロボ情報を基に、ストロボが接写撮影用か否かを判断する。そして、ＣＰＵ２０５は、装着されたストロボが接写撮影用であれば、接写撮影を行う状態であると判断して、ステップＳ２０５に進み、装着されたストロボが接写撮影用でなければ、ステップＳ２０４に進む。
【００５４】
ステップＳ２０４では、ＣＰＵ２０５は、ステップＳ２０３−１で選択された接写撮影モード以外のモードに応じた所定の動作を行い、処理を終了する。
【００５５】
ステップＳ２０５では、ＣＰＵ２０５は、シャッターボタン２０７が半押し操作、すなわちＳＷ１がＯＮ操作されたか否かを判断し、ＳＷ１がＯＮ操作された場合は、ステップＳ２０６に進み、ＳＷ１がＯＮ操作されない場合は、ステップＳ２２０に進む。
【００５６】
ステップＳ２０６では、測光センサ２１０により測光を行い、ステップＳ２０７に進む。ステップＳ２０７では、ＣＰＵ２０５は、ステップＳ２０６での測光の結果に基づいて、被写体輝度が所定値以下か否かを判断し、被写体輝度が所定値以下であれば、ステップＳ２０８に進み、被写体輝度が所定値以下でなければ、ステップＳ２１８に進む。
【００５７】
ステップＳ２１８において、シャッターボタン２０７がさらに押込まれてＳＷ２がＯＮ操作されると、ステップＳ２１９に進み、ステップＳ２１９で、ＣＰＵ２０５は、外光撮影、すなわちストロボ２０３を使用しない撮影を行い、処理を終了する。
【００５８】
一方、ステップＳ２０８では、発光制御部２１６によりストロボ２０３の発光部２０３Ａ，２０３Ｂの発光を開始させ、ステップＳ２０９に進む。
【００５９】
ステップＳ２０９では、タイマー２１２による計時を開始し、ステップＳ２１０に進む。
【００６０】
ステップＳ２１０では、ＣＰＵ２０５は、ステップＳ２０９での計時開始から所定時間が経過したかを判断し、経過した場合は、ステップＳ２１１で、ストロボ２０３の発光部２０３Ａ，２０３Ｂの発光を停止させ、ステップＳ２１２に進む。なお、ステップＳ２０８で発光開始してからステップＳ２１１で発光停止するまでは、ストロボ２０３の発光部２０３Ａ，２０３Ｂは継続して発光を行うものとする。
【００６１】
ステップＳ２１２では、ＣＰＵ２０５は、設定変更ダイヤル２１１Ａが操作されたか否かを判断し、操作された場合は、ステップＳ２１７に進み、操作されない場合は、ステップＳ２１３に進む。
【００６２】
ステップＳ２１７では、ＣＰＵ２０５は、設定変更ダイヤル２１１Ａへの操作に応じてモデリング発光の発光形態を変更させる。詳しくは、設定変更ダイヤル２１１Ａが所定量回転するごとに予め定められた順序でモデリング発光の発光形態を変更させる。  なお、モデリング発光の発光形態は複数あって、例えば、以下のような形態である。第１の発光形態は、発光部２０３Ａ，２０３Ｂを共に連続発光させ、第２の発光形態は、発光部２０３Ａ，２０３Ｂを共に連続発光させるが、発光部２０３Ａの発光量に対して発光部２０３Ｂの発光量を半分にして発光させる。第３の発光形態は、発光部２０３Ａのみを連続発光させ、第４の発光形態は、発光部２０３Ｂのみを連続発光させる。第５の発光形態は、発光部２０３Ａ，２０３Ｂを共に連続発光させるが、発光部２０３Ｂの発光量に対して発光部２０３Ａの発光量を半分にして発光させる。以上のような第１から第５の発光形態を、設定変更ダイヤル２１１Ａが所定量回転するごとに予め定められた順序で変更していく。
【００６３】
一方、ステップＳ２１３では、ＣＰＵ２０５は、設定変更ダイヤル２１１Ｂが操作されたか否かを判断し、操作された場合は、ステップＳ２２３に進み、操作されない場合は、ステップＳ２１４に進む。
【００６４】
ステップＳ２１４では、ＣＰＵ２０５は、接眼部物体検知センサ２０８により、ファインダー２０９の接眼部近傍の物体が検知されたか否か、すなわち、撮影者がファインダー２０９を覗き込んでいるか否かを判別する。そして、ＣＰＵ２０５は、接眼部物体検知センサ２０８により、撮影者がファインダー２０９を覗き込んでいることが検知された場合は、ステップＳ２２３に進み、検知されない場合は、ステップＳ２１５に進む。
【００６５】
ステップＳ２１５では、ＣＰＵ２０５は、シャッターボタン２０７がさらに押込まれてＳＷ２がＯＮ操作されたか否かを判断し、ＳＷ２がＯＮ操作された場合は、ステップＳ２１６に進み、ＳＷ２がＯＮ操作されない場合は、ステップＳ２１２に戻る。
【００６６】
ステップＳ２１６では、発光制御部２１６によりストロボ２０３の発光部２０３Ａ，２０３Ｂを発光させてストロボ撮影を行い、処理を終了する。
【００６７】
一方、ステップＳ２０５においてＳＷ１がＯＮ操作されない場合は、ステップＳ２２０に進み、接眼部物体検知センサ２０８により、撮影者がファインダー２０９を覗き込んでいるか否かを判別する。そして、ＣＰＵ２０５は、接眼部物体検知センサ２０８により、撮影者がファインダー２０９を覗き込んでいることが検知された場合は、ステップＳ２２１に進み、検知されない場合は、ステップＳ２０５に戻る。
【００６８】
ステップＳ２２１では、測光センサ２１０により測光を行い、ステップＳ２２２に進む。
【００６９】
ステップＳ２２２では、ステップＳ２２１での測光の結果、被写体輝度が所定値以下であれば、ステップＳ２２３に進み、被写体輝度が所定値以下でなければ、ステップＳ２３０に進む。
【００７０】
ステップＳ２３０では、ＣＰＵ２０５は、シャッターボタン２０７が押込まれてＳＷ１がＯＮ操作されたか否かを判断し、ＳＷ１がＯＮ操作された場合は、ステップＳ２３１に進む。
【００７１】
ステップＳ２３１では、ＣＰＵ２０５は、シャッターボタン２０７がさらに押込まれてＳＷ２がＯＮ操作されたか否かを判断し、ＳＷ２がＯＮ操作された場合は、ステップＳ２１９の外光撮影に進み、ストロボ２０３を使用しない撮影を行い、処理を終了する。
【００７２】
一方、ステップＳ２２３では、ストロボ２０３の赤目軽減ランプ２０３Ｃを点灯（フォーカシング発光）させ、ステップＳ２２４に進む。
【００７３】
ステップＳ２２４では、タイマー２１２による計時を開始し、ステップＳ２２５に進む。
【００７４】
ステップＳ２２５では、ＣＰＵ２０５は、ステップＳ２２４での計時開始から所定時間が経過したかを判断し、経過した場合は、ステップＳ２２６に進み、ストロボ２０３の赤目軽減ランプ２０３Ｃを消灯する。  次に、ステップＳ２２７では、ＣＰＵ２０５は、設定変更ダイヤル２１１Ｂが操作されたか否かを判断し、操作された場合は、ステップＳ２０８に戻り、操作されない場合は、ステップＳ２２８に進む。
【００７５】
ステップＳ２２８では、ＣＰＵ２０５は、シャッターボタン２０７が押込まれてＳＷ１がＯＮ操作されたか否かを判断し、ＳＷ１がＯＮ操作された場合は、ステップＳ２２９に進む。
【００７６】
ステップＳ２２９では、ＣＰＵ２０５は、シャッターボタン２０７がさらに押込まれてＳＷ２がＯＮ操作されたか否かを判断し、ＳＷ２がＯＮ操作された場合は、ステップＳ２１６のストロボ２０３を使用した撮影を行い、処理を終了する。
【００７７】
以上説明したように、本実施形態では、接写撮影を行う際に、シャッターボタン２０７が操作されると、測光結果に応じて自動的に発光部２０３Ａ，２０３Ｂの少なくとも一方を発光させるモデリング発光を行う。これにより、撮影者は、煩わしい操作をすることなく、被写体がどのように照明されるのかを事前に確認することができ、操作性が向上する。
【００７８】
また、本実施形態では、接写撮影を行う際に、ファインダー２０９の接眼部近傍に物体が検知されると、測光結果に応じて自動的に赤目軽減ランプ２０３Ｃが点灯（フォーカシング発光）する。これにより、撮影者は、煩わしい操作をすることなく、正確なピント合わせを行うことができ、操作性が向上する。
【００７９】
更に、本実施形態では、モデリング発光が停止した後、ファインダー２０９を覗くか設定変更ダイヤル２１１Ｂを操作することでフォーカシング発光動作に切替えることができる。また、フォーカシング発光が停止した後、設定変更ダイヤル２１１Ｂを操作することでモデリング発光動作に切替えることができる。これにより、撮影者の使い勝手がよくなり、操作性が向上する。
【００８０】
更に、本実施形態では、モデリング発光が停止した後、カメラ本体２０１の設定変更ダイヤル２１１Ａを操作することで、モデリング発光の発光形態を変更する。これにより、ストロボ２０３に設けられたスイッチまで手を伸ばすことなくモデリング発光の発光形態を変更することができ、操作性が向上する。
【００８１】
なお、本実施形態では、モードダイヤル２０６のポジション、レンズ情報やストロボ情報を基に、接写撮影か否かを判断したが、これに限定されない。例えば、オートフォーカスのための測距センサ２１５による測距結果が所定値以下の場合や、マニュアルフォーカス時にレンズ情報に基づく被写体の距離情報が所定値以下の場合に、接写による撮影と判断してもよい。
【００８２】
また、本実施形態では、シャッターボタン２０７のＳＷ１−ＯＮで一方の照明部によるモデリング発光動作に移行し、ファインダー接眼部での物体検知で他方の照明部によるフォーカシング発光動作に移行するようにしたが、これらを入れ換えてもよい。すなわち、シャッターボタン２０７のＳＷ１−ＯＮで他方の照明部（赤目軽減ランプ２０３Ｃ）によるフォーカシング発光動作に移行し、ファインダー接眼部での物体検知で一方の照明部（発光部２０３Ａ，２０３Ｂ）によるモデリング発光動作に移行すればよい。
【００８３】
なお、本発明は、上記各実施形態に例示したものに限定されるものではなく、本発明の要旨を逸脱しない範囲において適宜変更可能である。
【符号の説明】
【００８４】
１０１  デジタルカメラ
１０２  撮影レンズ
１０３  接写撮影用ストロボ
１０３Ｃ  赤目軽減ランプ
１０５  ＣＰＵ
１０６  モードダイヤル
１０７  シャッターボタン
１０８  接眼部物体検知センサ
１０９  ファインダー
１１０  測光センサ
１１２  タイマー
２００  デジタル一眼レフカメラ
２０１  カメラ本体
２０２  撮影レンズ
２０３  接写撮影用ストロボ
２０３Ａ，２０３Ｂ  発光部
２０３Ｃ  赤目軽減ランプ
２０５  ＣＰＵ
２０６  モードダイヤル
２０７  シャッターボタン
２０８  接眼部物体検知センサ
２０９  ファインダー
２１０  測光センサ
２１１Ａ，２１１Ｂ  設定変更ダイヤル
２１２  タイマー
２１５  測距センサ
【図１】
2010258522.tif 000003
【図２】
2010258522.tif 000004
【図３】
2010258522.tif 000005
【図４】
2010258522.tif 000006
【図５】
2010258522.tif 000007
【図６】
2010258522.tif 000008
【図７】
2010258522.tif 000009